(57)【要約】【課題】オペレータによる入力操作を軽減し、辞書データの作成時間を短縮する帳票辞書作成装置を提供する。【解決手段】画像データから帳票に書かれた表の外接矩形を検出して抽出し、かつ、その表の外接矩形をディスプレイ２１に表示する表外接矩形抽出部１２と、ディスプレイ２１に表示された表の外接矩形が選択されたとき、その領域データを画像データから読み込み、表の外接矩形の中に存在する認識対象領域が選択されたときは、その領域データを画像データから読み込む領域データ読込部１３と、表の外接矩形および認識対象領域の各領域データを帳票と関連付けて辞書データメモリ１６に辞書データとして格納する辞書データ作成部１５とを備えた。【選択図】図１
2008152719.tif 000002
【特許請求の範囲】
【請求項１】
スキャナにより読み込まれた帳票の画像データに基づいてディスプレイに帳票画像を表示する帳票辞書作成装置において、
前記画像データから帳票に書かれた表の外接矩形を検出して抽出し、かつ、その表の外接矩形をディスプレイに表示する表外接矩形抽出手段と、
ディスプレイに表示された前記表の外接矩形が選択されたとき、その領域データを前記画像データから読み込み、前記表の外接矩形の中に存在する認識対象領域が選択されたときは、その領域データを前記画像データから読み込む領域データ読込手段と、
前記表の外接矩形および前記認識対象領域の各領域データを前記帳票と関連付けてメモリに辞書データとして格納する辞書データ作成手段と
を備えたことを特徴とする帳票辞書作成装置。
【請求項２】
前記表外接矩形抽出手段は、抽出した前記表の外接矩形をディスプレイに表示された同じ表に重ねることを特徴とする請求項１記載の帳票辞書作成装置。
【請求項３】
前記表外接矩形抽出手段は、前記画像データから横方向及び縦方向の罫線を全て検出し、かつ、交差しているものをグループ化して表の外接矩形を抽出することを特徴とする請求項１又は２記載の帳票辞書作成装置。
【発明の詳細な説明】
【技術分野】
【０００１】
本発明は、スキャナによりスキャニングされた帳票の画像データから認識対象領域を決定するための辞書データを作成する帳票辞書作成装置に関するものである。
【背景技術】
【０００２】
従来、スキャナによりスキャニングされた帳票の画像データに対し、予めメモリに格納された帳票定義情報を用いて帳票の種類を識別し、識別した画像データから特徴部位座標を抽出する。そして、抽出した特徴部位座標とメモリに格納されている特徴部位座標とから、帳票画像上の特徴部位座標と帳票幅のずれ量を判別して、領収印欄などの認識対象領域を判別している（例えば、特許文献１参照）。
【０００３】
【特許文献１】特開２００４−３２６６７２号公報（第４頁、図２）
【発明の開示】
【発明が解決しようとする課題】
【０００４】
ところで、認識対象領域を決定するための必要なデータは、一般的に、スキャナ、ディスプレイおよび入力装置が接続された装置によって作成されている。その装置は、スキャナによりスキャニングされた帳票の画像データを読み込んでディスプレイに表示する。そして、ディスプレイに表示した帳票画像から認識対象領域を有する表の形状を入力装置で入力し、次いで、その表の中に存在する認識対象領域の形状を入力装置で入力し、それらを基に認識対象領域を判別するための辞書データ（座標）を作成する。
しかしながら、前述した従来の装置では、入力装置によって表の形状および認識対象領域の形状を範囲指定して入力しなければならず、オペレータによる入力作業に時間を要していた。
【課題を解決するための手段】
【０００５】
本発明に係る帳票辞書作成装置は、スキャナにより読み込まれた帳票の画像データに基づいてディスプレイに帳票画像を表示する帳票辞書作成装置において、画像データから帳票に書かれた表の外接矩形を検出して抽出し、かつ、その表の外接矩形をディスプレイに表示する表外接矩形抽出手段と、ディスプレイに表示された表の外接矩形が選択されたとき、その領域データを画像データから読み込み、表の外接矩形の中に存在する認識対象領域が選択されたときは、その領域データを画像データから読み込む領域データ読込手段と、表の外接矩形および認識対象領域の各領域データを帳票と関連付けてメモリに辞書データとして格納する辞書データ作成手段とを備えたものである。
【発明の効果】
【０００６】
本発明においては、画像データから帳票に書かれた表の外接矩形を検出して抽出し、かつ、その表の外接矩形をディスプレイに表示し、その後、ディスプレイに表示された表の外接矩形が選択されたとき、その領域データを画像データから読み込み、表の外接矩形の中に存在する認識対象領域が選択されたときは、その領域データを画像データから読み込み、そして、その表の外接矩形および認識対象領域の各領域データを帳票と関連付けてメモリに辞書データとして格納するようにしたので、オペレータによる入力操作が軽減され、辞書データの作成時間が短縮される。
【発明を実施するための最良の形態】
【０００７】
図１は本発明の実施の形態に係る帳票辞書作成装置の構成を示すブロック図である。
図中に示す帳票辞書作成装置１０は、帳票イメージメモリ１１と、表外接矩形抽出部１２と、領域データ読込部１３と、領域データメモリ１４と、辞書データ作成部１５と、辞書データメモリ１６とを備え、周辺機器としてスキャナ２０、ディスプレイ２１および入力装置２２がそれぞれ接続されている。スキャナ２０のスキャニングによって読み込まれた帳票の画像データを帳票イメージメモリ１１に格納し、その画像データに基づく帳票画像をディスプレイ２１に表示する。
【０００８】
前述した表外接矩形抽出部１２は、帳票イメージメモリ１１に格納された帳票の画像データを読み込んで横方向及び縦方向の罫線を全て検出し、かつ、交差しているものをグループ化して表外接矩形を抽出する。そして、その抽出した表外接矩形を、ディスプレイ２１に表示された帳票画像上の同じ表に重ねて表示する。これにより、表外接矩形が正確に抽出されたか否か、また、帳票画像上の表に対して正確に重ねられているか否かを確認できる。表外接矩形が正確でなかったり、位置ずれが生じていた場合は、入力装置２２の操作によって修正できるようになっている。
【０００９】
領域データ読込部１３は、例えば入力装置２２であるマウスの操作によって、帳票画像から表外接矩形が選択され、次いで、選択された表外接矩形に存在する認識対象領域が選択されると、選択された表外接矩形の横方向と縦方向の各座標および選択された認識対象領域の横方向と縦方向の各座標を領域データとしてそれぞれ読み込んで領域データメモリ１４に格納する。辞書データ作成部１５は、動作説明時に詳述するが、領域データメモリ１４に格納された表外接矩形および認識対象領域のそれぞれの座標をスキャナ２０に読み込まれた帳票と関連付けて、その帳票に対する辞書データとして作成し、辞書データメモリ１６に格納する。
【００１０】
次に、本実施の形態の動作について図２乃至図４を用いて説明する。図２は実施の形態に係る帳票辞書作成装置の動作を示すフローチャート、図３は帳票画像における表外接矩形および認識対象領域の一例を示す図、図４は表外接矩形および認識対象領域における領域データ（座標）の一例を示す図、図５は辞書データの概念図である。
【００１１】
スキャナ２０によって帳票の画像データが読み込まれると、帳票辞書作成装置１０は、画像データを取得して帳票イメージメモリ１１に格納すると共に、その画像データをディスプレイ２１に表示する（４０１，４０２）。その後、入力装置２２の操作による表外接矩形の抽出命令が入力されると、表外接矩形抽出部１２が、その抽出命令に応じて帳票イメージメモリから画像データを読み込み、そして、その画像データから横方向及び縦方向の罫線を全て検出し、かつ、交差しているものをグループ化して表外接矩形を抽出する（４０３）。例えば図３に示すような帳票においては、押捺欄を表外接矩形１として抽出し、年月日や金額、氏名等の各欄を表外接矩形２として抽出する。そして、ディスプレイ２１に表示された帳票画像に表外接矩形１、２をそれぞれ重ねて表示する（４０４）。つまり、帳票画像の押捺欄の上に表外接矩形１を重ね、年月日や金額、氏名等の各欄の上に表外接矩形２を重ねる。
【００１２】
その後、入力装置２２の操作（マウス操作）によって認識対象領域を有する表外接矩形２が選択されると（４０５）、領域データ読込部１３は、その選択に応じて表外接矩形２の領域データを帳票イメージメモリ１１から読み込み領域データメモリ１４に格納する（４０６）。例えば図４に示すように、Ａ点を基準に横方向のＸ座標（Ｘ１，Ｘ２，Ｘ４，Ｘ５）および縦方向のＹ座標（Ｙ１，Ｙ４，Ｙ５）を領域データとして領域データメモリ１４に格納する。次いで、入力装置２２の操作により表外接矩形２内の認識対象領域が選択されると（４０７）、領域データ読込部１３は、認識対象領域の領域データを帳票イメージメモリ１１から読み込んで領域データメモリ１４に格納する（４０８）。図４に示す帳票の場合は、前記と同様にＡ点を基準に横方向のＸ座標（Ｘ１，Ｘ３）および縦方向のＹ座標（Ｙ２，Ｙ３）を領域データとして領域データメモリ１４に格納する。そして、領域データの取得が完了したときは、その旨を辞書データ作成部１５に通知する。
【００１３】
辞書データ作成部１５は、領域データ読込部１３からの領域データ取得完了の通知を受けると、領域データメモリ１４に格納された領域データに基づいて、スキャナ２０により読み込まれた帳票の辞書データを作成する（４０９）。例えば図５に示すように、帳票識別データ毎に、表外接矩形の横方向と縦方向の各座標および認識対象領域の横方向と縦方向の各座標を関連付けて作成する。本実施の形態の場合、帳票識別データ１に対して表外接矩形２が設定され，その下位に認識対象領域が関連付けられ、そして、表外接矩形２に対して横方向のＸ座標（Ｘ１，Ｘ２，Ｘ４，Ｘ５）と縦方向のＹ座標（Ｙ１，Ｙ４，Ｙ５）が設定され、認識対象領域に対して横方向のＸ座標（Ｘ１，Ｘ３）と縦方向のＹ座標（Ｙ２，Ｙ３）が設定され、これを辞書データとして辞書データメモリに格納される。前述した帳票識別データは、各種の帳票に対して定められた識別用のデータで、スキャナ２０によって種類の異なる帳票が読み込まれる毎に入力装置２２によって入力されたものである。
【００１４】
以上のように実施の形態によれば、スキャナ２０によって読み込まれた帳票の画像データをディスプレイ２１に表示し，次いで、その画像データから表外接矩形を抽出してディスプレイ２１の帳票画像上の表に重ねるようにしたので、表外接矩形が正確に抽出されたか否か、また、帳票画像上の表に対して正確に重ねられているか否かを確認できる。表外接矩形が正確でなかったり、位置ずれが生じていた場合は、入力装置２２の操作によって修正できる。
【００１５】
また、抽出した表外接矩形を帳票画像上の表に重ねた後に、認識対象領域を有する表外接矩形が入力装置２２のマウスによって選択され、次いで、その認識対象領域が選択されたとき、表外接矩形と認識対象領域のそれぞれの領域データを読み込んで、スキャナ２０により読み込まれた帳票の辞書データを作成するようにしたので、オペレータによる入力操作が軽減され、辞書データの作成時間が短縮される。
【図面の簡単な説明】
【００１６】
【図１】本発明の実施の形態に係る帳票辞書作成装置の構成を示すブロック図である。
【図２】実施の形態に係る辞書データ作成装置の動作を示すフローチャートである。
【図３】帳票画像における表外接矩形および認識対象領域の一例を示す図である。
【図４】表外接矩形および認識対象領域における領域データ（座標）の一例を示す図である。
【図５】辞書データの概念図である。
【符号の説明】
【００１７】
１０  帳票辞書作成装置、１１  帳票イメージメモリ、１２  表外接矩形抽出部、
１３  領域データ読込部、１４  領域データメモリ、１５  辞書データ作成部、１６  辞書データメモリ、２０  スキャナ、２１  ディスプレイ、２２  入力装置。
【図１】
2008152719.tif 000003
【図２】
2008152719.tif 000004
【図３】
2008152719.tif 000005
【図４】
2008152719.tif 000006
【図５】
2008152719.tif 000007